(57)【要約】【課題】電界方式において広帯域なインピーダンス整合が可能な電界通信装置及び通信システムを提供すること。【解決手段】この電界通信装置（１０）は、伝送媒体（３０）に対向配置される第１送信電極（１１２）と、前記第１送信電極（１１２）に隣接して前記伝送媒体（３０）に対向配置される第２送信電極（１１３）と、前記第１送信電極（１１２）及び第２送信電極（１１３）と前記伝送媒体（３０）との間に配置された誘電体（１１４）と、前記第１送信電極（１１２）及び第２送信電極（１１３）に対して前記伝送媒体周辺に送信情報に応じた電界を誘起させる信号を入力する送信部（１１１）とを、具備する。【選択図】図１
2014120807.tif 000002
【特許請求の範囲】
【請求項１】
伝送媒体表面に沿う電界に変化を与える電界方式の電界通信装置において、
伝送媒体に対向配置される第１電極と、
前記第１電極に隣接して前記伝送媒体に対向配置される第２電極と、
前記第１電極及び第２電極と前記伝送媒体との間に配置された誘電体と、
前記第１電極及び第２電極に対して前記伝送媒体周辺に送信情報に応じた電界を誘起させる信号を入力する送信部と、
を具備したことを特徴とする電界通信装置。
【請求項２】
伝送媒体表面に沿う電界の変化を検出する電界方式の電界通信装置において、
伝送媒体に対向配置される第１電極と、
前記第１電極に隣接して前記伝送媒体に対向配置される第２電極と、
前記第１電極及び第２電極と前記伝送媒体との間に配置された誘電体と、
前記伝送媒体周辺に現れる電界変化に応じて前記第１電極及び第２電極から取り込まれる信号から送信情報を復調する受信部と、
を具備したことを特徴とする電界通信装置。
【請求項３】
前記第１及び第２電極と、当該第１及び第２電極に対向する前記伝送媒体とからなる電極部の使用する周波数ｆ（Ｈｚ）に対する入力インピーダンス（Ｚ＝Ｒ＋ｉＸ）の虚数部Ｘの絶対値が２×１０１０／ｆよりも小さい値となるように、前記誘電体の誘電率、第１及び第２電極と前記伝送媒体表面との距離を調整したことを特徴とする請求項１記載の電界通信装置。
【請求項４】
前記誘電体は誘電率が３より大きく、厚さが０．１ｍｍより小さいことを特徴とする請求項１から請求項３のいずれかに記載の電界通信装置。
【請求項５】
伝送媒体を介して信号を送信する送信装置と、伝送媒体を介して送信された信号を受信する受信装置とを備えた通信システムにおいて、
前記送信装置は、
伝送媒体表面に沿う電界に変化を与える電界方式の電界通信装置であって、
伝送媒体に対向配置される第１送信電極と、
前記第１送信電極に隣接して前記伝送媒体に対向配置される第２送信電極と、
前記第１送信電極及び第２送信電極と前記伝送媒体との間に配置された誘電体と、
前記第１送信電極及び第２送信電極に対して前記伝送媒体周辺に送信情報に応じた電界を誘起させる信号を入力する送信部と、を具備し、
前記受信装置は、
伝送媒体表面に沿う電界の変化を検出する電界方式の電界通信装置であって、
伝送媒体に対向配置される第１受信電極と、
前記第１受信電極に隣接して前記伝送媒体に対向配置される第２受信電極と、
前記第１受信電極及び第２受信電極と前記伝送媒体との間に配置された誘電体と、
前記伝送媒体周辺に現れる電界変化に応じて前記第１受信電極及び第２受信電極から取り込まれる信号から送信情報を復調する受信部と、を具備したことを特徴とする通信システム。
【発明の詳細な説明】
【技術分野】
【０００１】
本発明は、送信情報に基づいて人体表面に沿う電界に変化を与えて情報伝送する電界方式の電界通信装置及び通信システムに関する。
【背景技術】
【０００２】
ケーブルを使わずに人体（誘電体）を伝送媒体として利用する通信方式として電界通信（人体通信ともいう）が知られている。電界通信には、人が電極に触れることにより、人体に微弱電流（数百μＡ程度）を流し、その電流に変調をかけて情報を伝達する電流方式と、送信情報で人体表面に沿う電界に変化を与え通信を行う電界方式とがある。
【０００３】
電流方式は電極を人体に直接接触させて人体に微弱な電流を流す方式であるので、金属である電極を直接人体へ接触させなければならない。このため、金属（電極）を直接人体の肌へ接触させ続けることによる問題（金属アレルギー、使用時の不快感、汗等による通信不能）がある。一方、電界方式は、人が直接電極に触れる必要はなく、電極に手をかざしたり、または靴を履いていても地面側の電極と人体間で通信が行えたりする。このため、金属（電極）を直接人体の肌へ接触させ続けることによる問題は生じない。
【０００４】
かかる電界方式に用いられる電極構造は、基本的に基準電極となるＣｏｌｄ電極と当該Ｃｏｌｄ電極に対して電位を与えるＨｏｔ電極との対で形成されたコンデンサ構造となる（例えば、特許文献１参照）。コンデンサ構造の電極のうち人体側となるＨｏｔ電極は人体表面に近接して対向配置され、Ｃｏｌｄ電極は一方の面をＨｏｔ電極に向け他方の面を自由空間側（人体表面とは反対側）に向けて配置される。これにより、Ｈｏｔ電極とＣｏｌｄ電極との間に電場が集中した電場分布となる。
【先行技術文献】
【特許文献】
【０００５】
【特許文献１】特開２００６−３２４７７５号公報
【発明の概要】
【発明が解決しようとする課題】
【０００６】
ところで、近年はモバイル機器への電界通信の応用が試みられている。電界通信をモバイル機器へ導入するためには、Ｃｏｌｄ電極とＨｏｔ電極の小型化に迫られる。コンデンサ構造の電極の場合、電極を小さくするのに応じて、インピーダンスが大きくなって送信機とのインピーダンス整合を取るのが難しくなる。例えば、電極面積が１０ｍｍ×１０ｍｍでＨｏｔ電極−Ｃｏｌｄ電極間距離が３ｍｍの場合、２０ＭＨｚでインピーダンスの虚数部が-10000Ω程度（平行平板コンデンサの容量に換算すると0.7pF程度）になるので、極めて大きなインピーダンスとなる。そのため、送信機とのインピーダンス整合を取る事が困難な状況となる。
【０００７】
なお、電界方式の送信機でインピーダンス整合を取るために、インダクタを用いてＬＣ共振させる方法が考えられるが、この方法ではインピーダンス整合できる帯域が極めて狭い帯域に制限される。例えば、２５ＭＨｚでインピーダンス整合を取ったときの帯域幅は１０ｋＨｚ(１０ｄＢ）である。これでは、環境の変化による特性ズレが大きく、安定した通信を確保する事が難しい。
【０００８】
本発明はこのような実情に鑑みてなされたものであり、電界方式において広帯域なインピーダンス整合が可能な電界通信装置及び通信システムを提供することを目的とする。
【課題を解決するための手段】
【０００９】
本発明者等は、Ｈｏｔ電極とＣｏｌｄ電極の両方を人体側に向けて配置し、誘電体または誘電体膜を介して人体と接触する構造とする事により、入力インピーダンスの虚数部を減少させることができることに着目し、入力インピーダンスをＨｏｔ電極とＣｏｌｄ電極の距離によっても制御できて、よりインピーダンス整合の取りやすい電極構造の発明をするに至った。
【００１０】
本発明の第１の側面は、伝送媒体表面に沿う電界に変化を与える電界方式の電界通信装置において、伝送媒体に対向配置される第１電極と、前記第１電極に隣接して前記伝送媒体に対向配置される第２電極と、前記第１電極及び第２電極と前記伝送媒体との間に配置された誘電体と、前記第１電極及び第２電極に対して前記伝送媒体周辺に送信情報に応じた電界を誘起させる信号を入力する送信部と、を具備したことを特徴とする。
【００１１】
これにより、第１電極と第２電極の両方を伝送媒体側に向けて配置したので、電場の分布が広がり、伝送媒体の電気特性が電極のインピーダンスに大きく反映される。第１電極、第２電極と伝送媒体表面との距離、第１電極、第２電極と伝送媒体表面との間の誘電率、第１電極と第２電極との距離、第１電極及び第２電極の電極面積、といったパラメータが、インピーダンスに寄与するが、これらのパラメータのうち特に電極-媒体間距離と誘電率とによってインピーダンスをある程度調整できるため、マッチングが取り易くなる。その結果、広帯域なインピーダンス整合が可能になる。
【００１２】
本発明の第２の側面は、伝送媒体表面に沿う電界の変化を検出する電界方式の電界通信装置において、伝送媒体に対向配置される第１電極と、前記第１電極に隣接して前記伝送媒体に対向配置される第２電極と、前記第１電極及び第２電極と前記伝送媒体との間に配置された誘電体と、前記伝送媒体周辺に現れる電界変化に応じて前記第１電極及び第２電極から取り込まれる信号から送信情報を復調する受信部と、を具備したことを特徴とする。
【００１３】
これにより、第１電極と第２電極の両方を伝送媒体側に向けて配置したので、第１の側面と同様に、電極-媒体間距離と誘電率とによってインピーダンスをある程度調整できるため、マッチングが取り易く、広帯域なインピーダンス整合が可能になる。
【００１４】
上記電界通信装置において、前記誘電体は誘電率が３より大きく、厚さが０．１ｍｍより小さくすることが望ましい。
【００１５】
本発明の第３の側面は、伝送媒体を介して信号を送信する送信装置と、伝送媒体を介して送信された信号を受信する受信装置とを備えた通信システムにおいて、前記送信装置は、伝送媒体表面に沿う電界に変化を与える電界方式の電界通信装置であって、伝送媒体に対向配置される第１送信電極と、前記第１送信電極に隣接して前記伝送媒体に対向配置される第２送信電極と、前記第１送信電極及び第２送信電極と前記伝送媒体との間に配置された誘電体と、前記第１送信電極及び第２送信電極に対して前記伝送媒体周辺に送信情報に応じた電界を誘起させる信号を入力する送信部と、を具備し、前記受信装置は、伝送媒体表面に沿う電界の変化を検出する電界方式の電界通信装置であって、伝送媒体に対向配置される第１受信電極と、前記第１受信電極に隣接して前記伝送媒体に対向配置される第２受信電極と、前記第１受信電極及び第２受信電極と前記伝送媒体との間に配置された誘電体と、前記伝送媒体周辺に現れる電界変化に応じて前記第１受信電極及び第２受信電極から取り込まれる信号から送信情報を復調する受信部と、を具備したことを特徴とする。
【発明の効果】
【００１６】
本発明によれば、電界方式において広帯域なインピーダンス整合が可能な電界通信装置及び通信システムを提供できる。
【図面の簡単な説明】
【００１７】
【図１】実施の形態に係る通信システムの概略構成を示す図である。
【図２】電界通信装置の電極構造とコンデンサ構造の電極構造とを対比して示す図である。
【図３】図２に示す電極構造をモデルにした高周波回路網の反射電力の周波数特性を示す図である。
【図４】電極部モデルの構成及び帯域幅のシミュレーション結果を示す図である。
【図５】実施例１に係る電界通信装置の電極構造の平面図である。
【図６】実施例１に係る電界通信装置の電極構造を取り付けた状態を示す図である。
【図７】実施例２に係る電界通信装置の電極構造を取り付けた状態を示す図である。
【図８】実施例２に係る電界通信装置の電極構造の平面図である。
【発明を実施するための形態】
【００１８】
以下、本発明の実施の形態について、図面を参照して詳細に説明する。
図１は本発明の実施の形態に係る電界通信装置を備えた通信システムの概略構成を示す図である。通信システム１は、送信装置１０、受信装置２０、および伝送媒体３０により構成され、送信装置１０と受信装置２０が伝送媒体３０を介して信号を送受信するシステムである。送信装置１０より送信された信号は、伝送媒体３０を介して伝送され、受信装置２０により受信される。
【００１９】
送信装置１０は、送信情報に基づいて人体（誘電体）からなる伝送媒体３０の表面に沿う電界に変化を与えて情報を伝送する電界方式の電界通信装置である。この送信装置１０は、送信部１１１と、主面を伝送媒体３０に向けて伝送媒体３０上に配置される第１及び第２送信電極１１２，１１３と、所定の誘電率を有し第１及び第２送信電極１１２，１１３と伝送媒体３０表面との間にそれぞれ介在する誘電体１１４と、を有している。誘電体１１４は、電極１１２の部分と電極１１３の部分に配置されていれば良く、図示されるように同一層の誘電体でカバーすることは必須要件では無い。
【００２０】
受信装置２０は、送信装置１０によって伝送媒体３０の表面に沿う電界に与えられた変化から情報を受信する電界方式の電界通信装置である。この受信装置２０は、受信部１２１と、主平面を伝送媒体３０に向けて伝送媒体３０上に配置される第１及び第２受信電極１２２，１２３と、所定の誘電率を有し第１及び第２受信電極１２２，１２３と伝送媒体３０表面との間にそれぞれ介在する誘電体１２４と、を有している。誘電体１２４は、第１受信電極１２２の部分と第２受信電極１２３の部分に配置されていれば良く、図示されるように同一層の誘電体でカバーすることは必須要件では無い。
【００２１】
ここで、送信装置１０の電極構造では、第１送信電極１１２（例えばＨｏｔ電極）と第２送信電極１１３（例えばＣｏｌｄ電極）の両方の主面が、伝送媒体３０の表面（例えば人体表面）に向けられている。同様に、受信装置２０の電極構造においても、第１受信電極１２２（例えばＨｏｔ電極）と第２受信電極１２３（例えばＣｏｌｄ電極）の両方の主面が、伝送媒体３０の表面に向けられている。既存の電界方式で用いられる電極構造のようにコンデンサ構造の場合は、高周波信号が印加されるＨｏｔ電極と、ＧＮＤ等の固定電位に固定されるＣｏｌｄ電極との対を形成するが、本発明の電界通信装置の電極構造では一方の電極を固定電位（ＧＮＤ）に固定することは必須ではない。
【００２２】
次に、図２、図３を参照し、本実施の形態にかかる電界通信装置の電極構造と、既存の電界方式で用いられる電極構造（コンデンサ構造）とを比較して説明する。図２Ａは本実施の形態で採用する電極構造（送信装置１０の電極構造）を示しており、図２Ｂは既存の電界方式で用いられる電極構造（コンデンサ構造）を示している。なお、送信装置１０の電極構造を例示するが、受信装置２０の電極構造についても、送信動作と受信動作に違いはあるが、基本原理は同じである。
【００２３】
図２Ａに示す電極構造の場合、従来通り一方の電極を固定電位（ＧＮＤ）に固定する必要は無く、送信部１１１が第１送信電極１１２に対して高周波信号を印加すると同時に、第２送信電極１１３に対して第１送信電極１１２とはπ／２だけ位相のずれた高周波信号を印加しても良い。送信部１１１は、第１送信電極１１２及び第２送信電極１１３に印加する高周波信号を送信情報で変調する。これにより、第１送信電極１１２及び第２送信電極１１３によって伝送媒体３０内部（人体内部）に電界を誘起するが、人体通信で使用する周波数に対して人体は電気伝導率を持っており、かつ誘電率が高い事から、第１送信電極１１２及び第２送信電極１１３によって人体内部に誘起された電界によって人体表面に対して垂直な電界が生じる。この電界によって人体表面に沿う電界に変化が与えられる。第１送信電極１１２及び第２送信電極１１３を伝送媒体３０側に向けることで、電場の分布が広がり、伝送媒体３０の電気特性を電極のインピーダンスに大きく反映できるようにしている。
【００２４】
この場合、第１送信電極１１２（第２送信電極１１３）と伝送媒体３０表面との距離（電極-媒体間距離）、第１送信電極１１２（第２送信電極１１３）と伝送媒体３０表面との間の誘電率、第１送信電極１１２と第２送信電極１１３との距離（電極間距離）、第１送信電極１１２（及び第２送信電極１１３）の電極面積、といったパラメータが、インピーダンスに寄与すると考えられる。これらのパラメータのうち特に電極-媒体間距離と電極-媒体間の誘電率とによってインピーダンスをある程度調整できるため、マッチングが取り易くなる。
【００２５】
具体的には、誘電率が３以上で、厚さ（電極-媒体間距離）が０．１ｍｍ以下の誘電体１１４を介して人体表面（伝送媒体３０）と接触する構造とする。この事により、入力インピーダンスの虚数部の絶対値を減少させることができる。また、使用する周波数f(Hz)に対する入力インピーダンス（Ｚ＝Ｒ＋ｉＸ）の虚数部Ｘの絶対値が２×１０１０／ｆよりも小さい値となるように誘電率および厚さ（電極−媒体間距離）を調整しても良い(図４参照)。さらに、入力インピーダンスは電極間距離によっても制御できるため、設計に幅ができ、より整合の取りやすい電極構造の設計も可能である。
【００２６】
これに対して、図２Ｂに示すコンデンサ構造の場合、平行平板のコンデンサの電極の一方を人体側に配置してＨｏｔ電極とし、もう一方を自由空間側に配置してＣｏｌｄ電極とする。Ｃｏｌｄ電極は固定電位（ＧＮＤ）にしてＨｏｔ電極に高周波信号を印加する。この結果、Ｈｏｔ電極とＣｏｌｄ電極の間に形成される電場が、人体表面に対して垂直方法の電界を直接誘起する。この電界によって人体表面に沿う電界に変化が与えられる。
【００２７】
この電場分布を考えると、コンデンサ構造であるから、Ｈｏｔ電極とＣｏｌｄ電極の間に電場が集中する。すなわち、インピーダンスは電極のサイズでほぼ決定され、コンデンサ構造の電極ではインピーダンスを決定する要因に人体はほとんど寄与していない。
【００２８】
図３Ａ，Ｂは２５ＭＨｚにマッチング整合を取ったときの帯域幅のシミュレーション結果を示している。図３Ａは図２Ｂに示すコンデンサ構造をモデルにした高周波回路網の反射電力の周波数特性（Ｓ１１）をシミュレーションした結果である。同図に示すように、反射電力が−１０ｄＢとなる位置での帯域幅は僅かに１０ｋＨｚであることが判る。図３Ｂは図２Ａに示す電極構造をモデルにした高周波回路網の反射電力の周波数特性（Ｓ１１）をシミュレーションした結果である。同図に示すように、反射電力が−１０ｄＢとなる位置での帯域幅は２．８ＭＨｚであることが判る。
【００２９】
図４Ａ、４Ｂは人体を含む電極部のインピーダンスＺ＝Ｒ＋ｉＸの実数部Ｒを１００Ωとし、１０ＭＨｚにマッチング整合を取ったときの反射電力が−１０ｄＢとなる帯域幅とインピーダンスの虚数部の絶対値｜Ｘ｜の関係を示している。図４Ａは電極部のモデルを示している。電極部は、第１送信電極１１２及び第２送信電極１１３と伝送媒体３０とを含んで構成される。図４Ｂに示すように、虚数部Ｘの絶対値が２×１０１０／ｆより小さい領域となる、｜Ｘ｜が２０００Ω以下の領域では帯域幅が急激に大きくなっていることが判る。
【００３０】
このように、本実施の形態によれば、第１送信電極１１２（第１受信電極１２２）と第２送信電極１２３（第２受信電極１２３）の両方を伝送媒体３０側に向けて配置し、誘電率が３以上で厚さが０．１ｍｍ以下の誘電体１１４（１２４）を介して伝送媒体３０と接触する構造としたので、入力インピーダンスの虚数部を減少させることができ、さらに、入力インピーダンスは第１送信電極１１２（第１受信電極１２２）と第２送信電極１１３（第２受信電極１２３）の距離によっても制御できるため、設計に幅ができ、より整合の取りやすい電極構造の設計も可能である。その結果、より広い範囲でのインピーダンス整合が可能となるため、電圧を印加するためのアンプへの負担が軽減される。また、アンプへの負担が軽減されるため、より低い電力での通信が可能となり、モバイル化では欠かせない省電力・低電力化に有効である。
【００３１】
次に、本実施の形態に係る電界通信装置に用いられる電極構造の実施例について説明する。
（実施例１）
図５は実施例１に係る電界通信装置の電極構造の平面図である。実施例１は、フレキシブル基板２００に第１電極２０１と第２電極２０２を作成している。フレキシブル基板２００は、誘電率が４で、厚さが０．１ｍｍ以下になるように設計している。例えば、厚み１０μｍから５０μｍのフィルム状の絶縁体（ベースフィルム）の上に接着層を形成し、さらにその上に第１電極２０１と第２電極２０２を形成した構造である。第１電極２０１と第２電極２０２は互いに空間的に所定距離だけ離れるように隣接形成されている。電極部や端子部以外には絶縁体を被せて保護している。絶縁体としてポリイミド膜もしくはフォトソルダーレジスト膜が用いられる。フレキシブル基板２００の基材をポリイミドフィルム又はＰＥＴフィルムで構成してもよい。
【００３２】
図５に示す構成例では、４角形状をなすフレキシブル基板２００の１つのコーナーから接続ケーブル用の長尺部２１０が引き延ばされるように形成され、長尺部２１０の先端部に端子用の幅広部２１１が形成されている。フレキシブル基板２００の上面には所定距離だけ離れて第１電極２０１と第２電極２０２が形成されている。この電極構造が送信装置の電極として用いられる場合は、第１電極２０１が第１送信電極１１２となり、第２電極２０２が第２送信電極１１３となる。また、この電極構造が受信装置の電極として用いられる場合は、第１電極２０１が第１受信電極１２２となり、第２電極２０２が第２受信電極１２３となる。長尺部２１０には一端が第１電極２０１、第２電極２０２にそれぞれ接続されたリード導体部２０３，２０４の一端が接続されている。幅広部２１１にはリード導体部２０３，２０４の他端がそれぞれ接続された端子部２０５，２０６が接続されている。端子部２０５，２０６がモジュール（送信装置、受信装置の回路モジュール）に接続される。
【００３３】
図６は図５に示す電極構造を人体からなる伝送媒体３０の表面に取り付けた状態を示す図である。第１電極２０１及び第２電極２０２を自由空間側に向けてフレキシブル基板２００を伝送媒体３０の表面に粘着層２２０を介して貼り付けている。このように、第１電極２０１及び第２電極２０２と伝送媒体３０との間には、誘電体となるフレキシブル基板２００と粘着層２２０が介在する。フレキシブル基板２００のうち第１電極２０１と伝送媒体３０の間に存在する部分、第２電極２０２と伝送媒体３０の間に存在する部分がインピーダンスの値に影響を与える誘電体として機能する。
【００３４】
このように、図５に示す電極構造は、第１電極２０１と第２電極２０２の間隔を制御するだけで容易に入力インピーダンスを調整できるととともに、第１電極２０１及び第２電極２０２と人体表面との間にフレキシブル基板２００が介在するので、金属が人体表面に直接接触することによる不具合を解消できる。また、厚さ０．１ｍｍ以下の極めて薄いシートを人体の表面に張り付けるので、装着時における人体への負荷を軽減できる。
【００３５】
（実施例２）
図７は実施例２に係る電界通信装置の電極構造を人体に取り付けた状態を示す模式的な断面図であり、図８は電極側から見た平面図である。
【００３６】
実施例２は、基板２３０の一方の主面に第１電極２３１と第２電極２３２を配置し、第１電極２３１及び第２電極２３２の外表面を覆うように誘電体膜２３３を形成している。基板２３０の他方の主面にモジュールケース２４０を取り付けている。第１電極２３１と第２電極２３２は、基板２３０に形成したビア２４１、２４２を介して、モジュールケース２４０に内蔵するモジュールと電気的に接続されている。
【００３７】
基板２３０は、ガラス繊維の布にエポキシ樹脂をしみ込ませ熱硬化処理を施し板状にしたもので、難燃性と低導電率を両立した素材であるＦＲ４を基材とした樹脂基板である。第１電極２３１及び第２電極２３２は基板２３０の一方の主面に互いに所定距離Ｌだけ離して配置されている。距離Ｌを制御することでインピーダンスを調整することができる。誘電体膜２３３は、レジスト膜で形成することができ、膜厚は０．１ｍｍ以下になるように形成する。モジュールケース２４０に内蔵するモジュールは用途に応じて適宜選択可能である。例えば、人体の体温を測定するセンサモジュールであれば、モジュールケース２４０には、温度センサ、測定温度を示す送信情報で人体の表面に沿う電界に変化を与えるように第１電極２３１及び第２電極２３２に信号を与える送信モジュール等を内蔵する。
【００３８】
人体に取り付けるために誘電体膜２３３の表面に粘着層２３４が設けられている。図７に示すように、粘着層２３４を人体からなる伝送媒体３０の表面に張り付けることで、第１電極２３１及び第２電極２３２は誘電体からなる誘電体膜２３３を介して伝送媒体３０の表面に向けて配置される。
【００３９】
このように、図７に示す電界通信装置の電極構造は、第１電極２３１と第２電極２３２の間隔を制御するだけで容易に入力インピーダンスを調整できるととともに、第１電極２３１及び第２電極２３２と人体表面との間に誘電体膜２３３が介在するので、金属が人体表面に直接接触することによる不具合を解消できる。
【００４０】
なお、本発明は上記実施の形態に限定されず、種々変更して実施することが可能である。上記実施の形態において、添付図面に図示されているセンサ電極の大きさや形状などについては、これに限定されず、本発明の効果を発揮する範囲内で適宜変更することが可能である。その他、本発明の目的の範囲を逸脱しない限りにおいて適宜変更して実施することが可能である。
【符号の説明】
【００４１】
１  通信システム
１０  送信装置
２０  受信装置
３０  伝送媒体
１１１  送信部
１１２  第１送信電極
１１３  第２送信電極
１１４  誘電体
１２２  第１受信電極
１２３  第２受信電極
１２４  誘電体
２００  フレキシブル基板
２０１、２３１  第１電極
２０２、２３２  第２電極
２０３、２０４  リード導体部
２０５、２０６  端子部
２２０、２３４  粘着層
２３３  誘電体膜
２４０  モジュールケース
２４１、２４２  ビア
【図１】
2014120807.tif 000003
【図２】
2014120807.tif 000004
【図３】
2014120807.tif 000005
【図４】
2014120807.tif 000006
【図５】
2014120807.tif 000007
【図６】
2014120807.tif 000008
【図７】
2014120807.tif 000009
【図８】
2014120807.tif 000010